(57)【要約】【課題】室内を乾燥させるのに使用される乾燥装置において、換気扇だけでは乾燥に時間がかかり、加熱装置を用いると消費電力が大きいという課題を有していたため、単純な排気より乾燥が速く、加熱装置を使用していないので省エネとなる乾燥装置を提供することを目的とする。【解決手段】本体ケース１の室内側の風路６において、室内の高温高湿の空気を湿度交換素子８内に通すことで、湿度交換素子８に水を吸着させ、湿度だけを前記室外側の風路７に移動させ、吸着熱により温度が上がった高温低湿の空気を室内に返す。湿度交換素子内を室外側の風路７に移動した水分は室外送風手段１０の風により気化し、室外へ排出される。この原理によって、加熱装置を用いることなく室内の温度を上げながら室内を乾燥させることができる構成にした乾燥装置を得られる。【選択図】図１
2013019583.tif 000002
【特許請求の範囲】
【請求項１】
吸気口と吐出口を有する本体ケースと、室内の空気を吸い込む第１の吸気口と、室内に空気を吐出する第１の吐出口と、室外の空気を吸い込む第２の吸気口と、室外に空気を排出する第２の吐出口と、前記第１の吸気口を通り、前記第１の吐出口へと通じる室内側の風路と、前記第２の吸気口を通り、前記第２の吐出口へと通じる室外側の風路と、前記室内側の風路と前記室外側の風路にまたがるように配置し、室内の空気と室外の空気の潜熱を交換する湿度交換素子と、前記室内側の風路に設けた室内送風手段と、前記室外側の風路に設けた室外送風手段とを備え、前記室内側の風路と前記室外側の風路を独立させる仕切り板を設け、前記湿度交換素子の潜熱交換で室内の空気の潜熱を室外の空気へ放出して室内を乾燥させることを特徴とした乾燥装置。
【請求項２】
室内送風手段を第１の吸気口付近に配置し、室外送風手段を第２の吸気口付近に配置することを特徴とした請求項１記載の乾燥装置。
【請求項３】
室内側の風路より室外側の風路の方が風路面積が大きいことを特徴とした請求項１記載の乾燥装置。
【請求項４】
室内送風手段と室外送風手段の風量を調整する風量調整手段を備え、室内送風手段の風量より室外送風手段の風量を大きくした状態で運転を行うことを特徴とした請求項１記載の乾燥装置。
【請求項５】
前記湿度交換素子は、断熱性を有する素材を用いることを特徴とした請求項１記載の乾燥装置。
【請求項６】
前記室内側の風路と前記室外側の風路を独立させるための仕切り板は断熱性の高い素材であることを特徴とした請求項１記載の乾燥装置。
【請求項７】
停止後の一定時間は運転を継続させる停止遅延手段を備えたことを特徴とした請求項１記載の乾燥装置。
【請求項８】
室内側の風路に室内の状態を検出する室内環境条件検出手段を備え、前記室内環境条件検出手段により検出した湿度が第１の所定の値以上の場合は、前記室内送風手段と前記室外送風手段の風量を上げることを特徴とする請求項１記載の乾燥装置。
【請求項９】
室内環境条件検出手段により検知した室内の湿度が第１の所定の値より小さい第２の所定の値より低い場合は前記室内送風手段と前記室外送風手段の風量を下げることを特徴とした請求項４記載の乾燥装置。
【請求項１０】
室内の風路と室外の風路を独立させる仕切り板を駆動可能にする風路切替手段を設け、前記風路切替手段により、第１の吸気口と第２の吐出口をつなぐ風路と、第２の吸気口と第１の吐出口をつなぐ風路に切り替えて運転を行うことを特徴とした請求項１記載の乾燥装置。
【請求項１１】
本体ケース下部に室内側の風路の水を溜める水受け部と、室外の風路に水が溜まっていることを検出する水分検出手段とを備え、前記水分検出手段から信号を受けた場合、風路切替手段により仕切り板を動かし、水を排出することを特徴とした請求項１記載の乾燥装置。
【請求項１２】
第２の吐出口に風路遮蔽板と、室外の状態を検出する室外環境条件検出手段を設け、前記環境条件検出手段により検出した室外の温度が湿度交換素子水分を気化することができない第３の所定の値以下だった場合は前記風路遮蔽板を閉め、運転を停止させることを特徴とした請求項１記載の乾燥装置。
【請求項１３】
前記環境条件検出手段により検出した室外の湿度が湿度交換素子が水分を気化することができない第４の所定の値を超えた場合は前記風路遮蔽板を閉め、運転を停止させることを特徴とした請求項１記載の乾燥装置。
【発明の詳細な説明】
【技術分野】
【０００１】
本発明は、室内を乾燥させる乾燥機に関するものである。
【背景技術】
【０００２】
従来、この種の乾燥装置では、加熱手段を用いて温風を発生させることで室内を乾燥させるものが知られている。
【０００３】
また、潜熱交換についても温度はそのままで湿度だけ交換するものが知られている。
【０００４】
以下、その乾燥装置と湿度交換素子について図１０と図１１を参照しながら説明する。
【０００５】
図１０に示すように、浴室乾燥暖房装置本体１０１は浴室に設置される。加熱手段１０２を用いることで空気を乾燥させ、循環ファン１０３で風を循環させて、室内を乾燥させている。換気運転を行う際は、換気ファンユニット１０４を運転させ、室内の空気を連通口１０５から排気ダクト１０６を通じて屋外へ排出する（例えば特許文献１参照）。
【０００６】
図１０に示すように、この潜熱交換膜１０７は、断熱基材１０８により基材両側の空間の間の熱の伝導は抑制しつつ、透湿孔１０９を仕切るように配された親水性有機高分子膜１１０により水蒸気の透過は可能となっており、温度はできるだけそのままで水蒸気を主に交換することができる（例えば特許文献２参照）。
【先行技術文献】
【特許文献】
【０００７】
【特許文献１】特開２０１０−９１２６７号公報
【特許文献２】特開２００５−２８８２１６号公報
【発明の概要】
【発明が解決しようとする課題】
【０００８】
このような従来の乾燥装置においては、加熱装置を用いることで、消費電力が大きくなるという課題を有していた。また、加熱装置を用いずに室内を乾燥する際には、換気扇だけでは乾燥に時間がかかり、カビなどの発生の恐れがあるという課題を有していた。
【０００９】
そこで、本発明は、上記従来の課題を解決するものであり、単純な排気より乾燥が速く、加熱装置を使用していないので省エネとなる乾燥装置を提供することを目的とする。
【課題を解決するための手段】
【００１０】
そして、この目的を達成するために、本発明は吸気口と吐出口を有する本体ケースと、室内の空気を吸い込む第１の吸気口と、室内に空気を吐出する第１の吐出口と、室外の空気を吸い込む第２の吸気口と、室外に空気を排出する第２の吐出口と、前記第１の吸気口を通り、前記第１の吐出口へと通じる室内側の風路と、前記第２の吸気口を通り、前記第２の吐出口へと通じる室外側の風路と、前記室内側の風路と前記室外側の風路にまたがるように配置し、室内の空気と室外の空気の潜熱を交換する湿度交換素子と、前記室内側の風路に設けた室内送風手段と、前記室外側の風路に設けた室外送風手段とを備え、前記室内側の風路と前記室外側の風路を独立させる仕切り板を設け、前記湿度交換素子の潜熱交換で室内の空気の潜熱を室外の空気へ放出して室内を乾燥させることを特徴とした乾燥装置としたものであり、これにより所期の目的を達成するものである。
【発明の効果】
【００１１】
本発明によれば、湿度交換素子により潜熱交換を行うことで、加熱装置を用いることなく室内を乾燥させる事ができ、単純な排気より乾燥が速く、省エネとなる乾燥装置を提供できるという効果を得ることができる。
【図面の簡単な説明】
【００１２】
【図１】本発明の実施の形態１の乾燥装置の構成を示す断面図
【図２】同実施の形態１の乾燥装置の構成を示すブロック図
【図３】同実施の形態２の乾燥装置の構成を示す断面図
【図４】同実施の形態２の乾燥装置の動作を示すブロック図
【図５】同実施の形態２の乾燥装置の動作を示すフローチャート
【図６】同実施の形態３の乾燥装置の構成を示す断面図
【図７】同実施の形態３の乾燥装置の動作を示すブロック図
【図８】同実施の形態４の乾燥装置の構成を示す断面図
【図９】同実施の形態５の乾燥装置の構成を示す断面図
【図１０】従来の乾燥装置の構成を示す断面図
【図１１】従来の湿度交換素子の構成を示す断面図
【発明を実施するための形態】
【００１３】
本発明の請求項１記載の乾燥装置は、吸気口と吐出口を有する本体ケースと、室内の空気を吸い込む第１の吸気口と、室内に空気を吐出する第１の吐出口と、室外の空気を吸い込む第２の吸気口と、室外に空気を排出する第２の吐出口と、前記第１の吸気口を通り、前記第１の吐出口へと通じる室内側の風路と、前記第２の吸気口を通り、前記第２の吐出口へと通じる室外側の風路と、前記室内側の風路と前記室外側の風路にまたがるように配置し、室内の空気と室外の空気の潜熱を交換する湿度交換素子と、前記室内側の風路に設けた室内送風手段と、前記室外側の風路に設けた室外送風手段とを備え、前記室内側の風路と前記室外側の風路を独立させる仕切り板を設け、前記湿度交換素子の潜熱交換で室内の空気の潜熱を室外の空気へ放出して室内を乾燥させるものである。
【００１４】
前記室内側の風路において、室内の高温高湿の空気を前記湿度交換素子内に通すことで、前記湿度交換素子に水を吸着させ、湿度だけを前記室外側の風路に移動させ、吸着熱により温度が上がった高温低湿の空気を室内に返す。湿度交換素子内を室外側の風路に移動した水分は前記室外送風手段の風により気化し、室外へ排出される。これにより、加熱装置を用いることなく室内の温度を上げながら室内を乾燥させることができ、単純な排気より乾燥が速く、省エネとなる乾燥機を提供できるという効果を奏する。
【００１５】
また、請求項２記載の乾燥装置は、室内送風手段を第１の吸気口付近に配置し、室外送風手段を第２の吸気口付近に配置するものである。
【００１６】
これにより、室内送風手段と室外送風手段は湿度交換素子に対して対向流として空気を押し込むことができ、効率よく室内を乾燥することができるという効果を奏する。
【００１７】
また、請求項３記載の乾燥装置は、室内側の風路より室外側の風路の方が風路面積が大きいものである。
【００１８】
これにより、室外側の風が当たる面積を増やし、水を気化する箇所を増やすことができ、効率よく室内を乾燥することができるという効果を奏する。
【００１９】
また、請求項４記載の乾燥装置は、室内送風手段と室外送風手段の風量を調整する風量調整手段を備え、室内送風手段の風量より室外送風手段の風量を大きくした状態で運転を行うものである。
【００２０】
これにより、室外側の風量を増やし、水を気化しやすくすることができ、効率よく室内を乾燥することができるという効果を奏する。
【００２１】
また、請求項５記載の乾燥装置は、前記湿度交換素子は、断熱性を有する素材を用いるものである。
【００２２】
これにより、熱ロスを低減して潜熱交換を行うことができ、効率よく室内を乾燥することができるという効果を奏する。
【００２３】
また、請求項６記載の乾燥装置は、前記室内側の風路と前記室外側の風路を独立させるための仕切り板は断熱性の高い素材であるものである。
【００２４】
これにより、熱が室外に逃げてしまうのを低減することができ、効率よく室内を乾燥することができるという効果を奏する。
【００２５】
また、請求項７記載の乾燥装置は、停止操作後の一定時間は運転を継続させる停止遅延手段を備えたものである。
【００２６】
これにより、運転後に湿度交換素子を乾燥させる事ができ、湿度交換素子の劣化を抑制することができるという効果を奏する。
【００２７】
また、請求項８記載の乾燥装置は、室内側の風路に室内の状態を検出する室内環境条件検出手段を備え、前記室内環境条件検出手段により検出した湿度が第１の所定の値以上の場合は、前記室内送風手段と前記室外送風手段の風量を上げるものである。
【００２８】
これにより、室内の湿度が第１の所定の値以上の場合は、風量を上げることで湿度交換素子の吸着量を上げて、効率よく乾燥ができるようになるという効果を奏する。
【００２９】
また、請求項９記載の乾燥装置は、室内環境条件検出手段により検知した室内の湿度が第２の所定の値より低い場合は前記室内送風手段と前記室外送風手段の風量を下げる機能を備えたものである。
【００３０】
これにより、室内の湿度が第２の所定の値より低い場合は、風量を下げることで無駄な消費電力を削減できるという効果を奏する。
【００３１】
また、請求項１０記載の乾燥装置は、室内の風路と室外の風路を独立させる仕切り板を駆動可能にする風路切替手段を設け、前記風路切替手段により、第１の吸気口と第２の吐出口をつなぐ風路と、第２の吸気口と第１の吐出口をつなぐ風路に切り替えて運転を行う機能を備えたものである。
【００３２】
これにより、室内の空気を室外に排出し空気の入れ替えを行うことができ、使用感を向上することができるという効果を奏する。
【００３３】
また、請求項１１記載の乾燥装置は、本体ケース下部に室内側の風路の水を溜める水受け部と、室外の風路に水が溜まっていることを検出する水分検出手段とを備え、前記水分検出手段から信号を受けた場合、風路切替手段により仕切り板を動かし、水を排出する機能を備えたものである。
【００３４】
これにより、本体内の水が湿度交換素子に逆流するのを防ぎ、潜熱交換性能を維持することができるという効果を奏する。
【００３５】
また、請求項１２記載の乾燥装置は、第２の吐出口に風路遮蔽板と、室外の状態を検出する室外環境条件検出手段を設け、前記環境条件検出手段により検出した室外の温度が湿度交換素子水分を気化することができない第３の所定の値以下だった場合は前記風路遮蔽板を閉め、運転を停止させる機能を備えたものである。
【００３６】
これにより、潜熱交換性能を維持できない条件の場合は運転を停止することができるという効果を奏する。
【００３７】
また、請求項１３記載の乾燥装置は、前記環境条件検出手段により検出した室外の湿度が湿度交換素子が水分を気化することができない第４の所定の値を超えた場合は前記風路遮蔽板を閉め、運転を停止させる機能を備えたものである。
【００３８】
これにより、潜熱交換性能を維持できない条件の場合は運転を停止することができるという効果を奏する。
【００３９】
以下、本発明の実施の形態について図面を参照しながら説明する。
【００４０】
（実施の形態１）
図１に示すように室内の天井に取り付けられた本体ケース１内には、室内の空気を吸い込む第１の吸気口２と、室内に空気を吐出する第１の吐出口３と、室外の空気を吸い込む第２の吸気口４と、室外に空気を排出する第２の吐出口５とを備えている。前記第１の吸気口２を通り、前記第１の吐出口３へと通じる室内側の風路６と、前記第２の吸気口４を通り、第２の吐出口５へと通じる室外側の風路７を備えている。また、前記室内側の風路６と前記室外側の風路７にまたがるように設置し、室内の空気と室外の空気の潜熱交換を行う湿度交換素子８を備えている。前記湿度交換素子８は、吸湿性が高く、素材内部の水分拡散に優れ、かつ、熱伝導率の低い素材、例えば、セラミックをベースとした無機材料、具体的には、コージェライトやシリカゲル、アルミナ、ゼオライト等を用いた素子であって、室内側の空気と、室外側の空気が通過する空間を下部と上部に隣接して設け、それぞれに空気が通過する孔を複数備え、それぞれの空間が前記素材によって仕切られ、互いに連通していないことを特徴とするものである。
【００４１】
また、前記室内側の風路６に室内送風手段９と、前記室外側の風路７に室外送風手段１０を備えている。前記室内送風手段９と前記室外送風手段１０としては例えばファンモータがある。前記湿度交換素子８の面に対して風を均一に当てるために前記室内送風手段９と前記室外送風手段１０と前記湿度交換素子８は一定の距離が必要となる。水の吸着と放出の割合を等しくするためにその距離はどちらも同じ距離であることが望ましい。そこで、前記室内送風手段９と前記室外送風手段１０を前記本体ケース１内の対角に配置することで、前記室内側の風路６と前記室外側の風路７の前記室内送風手段９と前記室外送風手段１０それぞれと前記湿度交換素子８へ空気を押し込む構成となり、湿度交換素子８へ流れ込む空気は対向流となり、水の吸着と放出の割合が等しくなる。
【００４２】
また、前記室内側の風路６と前記室外側の風路７を独立させるための仕切り板１１を備えている。
【００４３】
また、第２の吸気口４付近に制御部１２を備え、前記制御部１２には前記室内送風手段９と前記室外送風手段１０の風量を少なくとも２段階（最も強い状態の強、最も弱い状態の弱）に調整する風量調整手段１３と、停止後の一定時間は運転を継続させる停止遅延手段１４を備えている。前記風量調整手段１３は前記室内送風手段９と前記室外送風手段１０の交流の整流子モータへの電源の通電比率（ｄｕｔｙ）を調整するものである。
【００４４】
上記構成により、前記室内側の風路６において、室内の高温高湿の空気を前記湿度交換素子８内に通すことで、前記湿度交換素子８に水を吸着させ、水は前記湿度交換素子８内部を拡散し、さらに吸着熱により温度が上がった高温低湿の空気を室内に返す。前記湿度交換素子８内を前記室外側の風路７に移動した水分は前記室外送風手段１０の風により気化し、室外へ排出される。この原理によって、加熱装置を用いることなく室内の温度を上げながら室内を乾燥させることができる。また、水分を気化させる室外側の前記湿度交換素子８が乾燥していた方が、室内側の水分が浸透しやすく水を吸着させる効率が上がる。
【００４５】
そこで、室外側の前記湿度交換素子８を乾燥させるために、前記室内側の風路６より前記室外側の風路７の風路面積を大きくすることで、室外側の前記湿度交換素子８の風が当たる面積を増やし、水を気化する箇所を増やすことができる。
【００４６】
また、前記室内送風手段９の風量より、前記室外送風手段１０の風量を上げた状態で運転を行うことで、水を気化しやすくさせることができる。
【００４７】
以上のように、単純な排気より乾燥が速く、省エネとなる乾燥機を提供できるという効果を奏する。
【００４８】
また、運転を停止させる場合は停止操作時に前記停止遅延手段１４により、一定時間は運転を継続させることで前記湿度交換素子８を完全に乾燥させる事ができる。これにより、前記湿度交換素子８の劣化を防ぐことができる。
【００４９】
また、前記湿度交換素子８は断熱性を有する素材のものを用いる。これにより、室内から室外への熱ロスを無視して潜熱交換を行うことができ、効率よく室内を乾燥することができる。
【００５０】
また、前記室内側の風路６と前記室外側の風路７の間の仕切り板１１は断熱性の高い素材のものを用いる。これにより、熱が前記室内側の風路６から前記室外側の風路７へ逃げてしまうのを防ぐことができ、効率よく室内を乾燥することができる。
【００５１】
（実施の形態２）
実施の形態２の乾燥装置においては、室内の状態によって前記室内送風手段９と前記室外送風手段１０の風量を変える機能を追加したものである。
【００５２】
すなわち本実施の形態では、図３、図４に示すように前記第１の吸気口付近に室内の状態を検出する室内環境条件検出手段１５を加えた構成とした。また、前記風量調整手段１３は前記室内送風手段９と前記室外送風手段１０の風量を少なくとも３段階（最も強い状態の強、最も弱い状態の弱、二つの中間の状態の中）に調整できるようにした。
【００５３】
なお、実施の形態１で説明した同一部分は同一番号を付し、詳細な説明は省略する。
【００５４】
上記構成により、室内の状態にあわせて運転ができる。
【００５５】
以下、その詳細について図５のフローチャートを用いて説明する。
【００５６】
乾燥装置が第１ステップ１６により運転を開始すると、前記室内環境条件検出手段１５によって検出された湿度の値が第１の所定の値である湿度が６０％以上かどうかを第２ステップ１５ａにおいて判定することとなる。第２ステップ１５ａにおいて６０％以上と判定された場合、前記風量調整手段１３により、前記室内送風手段９と前記室外送風手段１０の風量を強として運転を行う。６０％未満と判定された場合、湿度の値が第１の所定の値より小さい第２の所定の値である４０％以上かどうかを第３ステップ１５ｂにおいて判定することとなる。第３ステップ１５ｂにおいて４０％以上と判定された場合、前記風量調整手段１３により、前記室内送風手段９と前記室外送風手段１０の風量を中として運転を行う。４０％未満と判定された場合、前記風量調整手段１３により、前記室内送風手段９と前記室外送風手段１０の風量を弱として運転を行う。
【００５７】
以上のように、室内の湿度が高い場合は、風量を上げることで室内側の前記湿度交換素子８の吸着率を上げて、室外側の前記湿度交換素子８が水分を気化するのを促進することができ、効率よく乾燥ができる。
【００５８】
また、室内の湿度が低い場合は、風量を下げることで無駄な消費電力を削減できるという効果を奏する。
【００５９】
（実施の形態３）
実施の形態１で説明した同一部分は同一番号を付し、詳細な説明は省略する。
【００６０】
実施の形態３の乾燥装置においては、風路を切り替え、換気運転を行うことができる機能を追加したものである。
【００６１】
すなわち、図６に示すように、前記第１の吸気口２と前記第２の吐出口５を備えている空間の前記湿度交換素子８側の前記仕切り板１１に第１の開口１７と前記第２の吸気口４と前記第１の吐出口３を備えている空間の前記湿度交換素子８側の前記仕切り板に第２の開口１８と、前記第１の開口１７を塞ぐための第１のシャッター１９と前記第２の開口１８を塞ぐための第２のシャッター２０とを加えて設けた構成とした。前記第１のシャッター１９と前記第２のシャッター２０は板体で構成され、軸を前記湿度交換素子８側に配置し、閉状態では前記第１のシャッター１９は第１の開口１７を、前記第２のシャッター２０は第２の開口１８を塞ぎ、開状態では第１のシャッター１９は前記室内側の風路６の上流側の前記湿度交換素子８への風路を遮断し、新たに第１の吸気口２と第２の吐出口５をつなぐ第１の換気風路２１を作り、前記第２のシャッター２０は前記室外側の風路７の上流側の前記湿度交換素子８への風路を遮断し、新たに第２の吸気口４と第１の吐出口３をつなぐ第２の換気風路２２を作る。前記第１のシャッター１９と前記第２のシャッター２０は断熱性の高いものを使用することが望ましい。前記第１のシャッター１９と前記第２のシャッター２０は開口を塞ぐものであればいいので、ダンパなどでも良い。
【００６２】
また、図７に示すように、前記制御部１２には前記第１のシャッター１９と前記第２のシャッター２０の開閉を指示する風路切替手段２３を備えている。
【００６３】
上記構成により、室内の空気を室外に排出し空気の入れ替えを行うことができる。
【００６４】
通常本体を運転する場合、前記第１のシャッター１９と前記第２のシャッター２０は閉状態である。運転継続中に前記室内環境条件検出手段１５が検出した室内の温度がある一定値を超えた場合、前記風路切替手段２３より指示が送られ、前記第１のシャッター１９と前記第２のシャッター２０が開状態になる。ある一定値は例えば浴室を想定した場合、熱いと感じられる５０度とする。前記第１のシャッター１９が開状態になった場合、前記室内側の風路６の前記第１の吸気口２から前記第１の吐出口３へ向かう風路は遮断され、前記第１の換気風路２１を通って、室内の空気が室外へ排出される。前記第２のシャッター２０が開状態になった場合、前記室外側の風路７の第２の吸気口から第２の吐出口５へ向かう風路は遮断され、前記第２の換気風路２２を通って、室外の空気が室内へ吸気される。風路構成により風が天井面を沿って室内を循環するので、室内の温度を均一にできる。
【００６５】
また、前記室内環境条件検出手段１５が検出した室内の温度がある一定値を下回った場合、前記第１のシャッター１９と前記第２のシャッター２０を閉状態にし、通常の運転状態に戻す。
【００６６】
ある一定値は例えば浴室を想定した場合の標準温度４０度とする。
【００６７】
以上のように、換気を行うことで室内の温度を調整することで使用感を向上することができるという効果を奏する。
【００６８】
（実施の形態４）
実施の形態４の乾燥装置においては、前記室外側の風路７において結露により水が発生した場合に水を検出し、一定量溜まったら排水する機能を追加したものである。
【００６９】
すなわち、図８に示すように、前記本体ケース１下部に水受け部２４と、前記室外側の風路７の前記湿度交換素子８側に水が溜まっている事を検出する水分検出手段２５とを設ける構成とした。
【００７０】
なお、実施の形態１で説明した同一部分は同一番号を付し、詳細な説明は省略する。
【００７１】
上記構成により、本体内の水が前記湿度交換素子８に逆流するのを防ぐことができる。
【００７２】
前記水分検出手段２５から信号を受けた場合、前記風路切替手段２３により前記仕切り板１１を動かし、前記湿度交換素子８に逆流しようとしていた水を前記室内側の風路６に排水する。前記室内側の風路６に溜まっている水は吸気口または吐出口側に流れていき、前記水受け部２４に流れ込む構造とし、前記水受け部２４に水を溜めておく。前記水受け部２４に溜まっている水は再度気化し、室内を循環する。
【００７３】
以上のように、結露した水が湿度交換素子８に吸着し潜熱交換の効率が下がってしまうことを防ぐことができるという効果を奏する。
【００７４】
（実施の形態５）
実施の形態５の乾燥装置においては、室外が異常な状態だった時に本体の運転を停止する機能を追加したものである。
【００７５】
すなわち、図９に示すように第２の吐出口５付近に室外の空気を入れないようにする風路遮蔽板２６と、室外の状態を検出する室外環境条件検出手段２７を設ける構成とした。
【００７６】
なお、実施の形態１で説明した同一部分は同一番号を付し、詳細な説明は省略する。
【００７７】
上記構成により、室外の状態を検出することにより強制的に運転を停止することができる。
【００７８】
前記室外環境条件検出手段２７により検出した室外の温度が第３の所定の値である０度以下である時は、前記湿度交換素子８が凍結してしまい、水分を気化することができず、運転を継続することができないので、前記風路遮蔽板２６を閉め運転を停止させる。また、一度運転を停止させてしまった場合は、前記室外環境条件検出手段２７により検出した室外の温度が１０度以上になった時に運転を再開する。
【００７９】
また、前記室外環境条件検出手段２７により検出した室外の湿度が第４の所定の値である８０％以上である時は、前記湿度交換素子８が水分を気化することができず、運転を継続することができないので、前記風路遮蔽板２６を閉め運転を停止させる。一度運転を停止させてしまった場合は、前記室外環境条件検出手段２７により検出した室外の湿度が７０％以下になった時に運転を再開する。
【００８０】
以上のように、潜熱交換性能を維持できない条件の場合は運転を停止することができるという効果を奏する。
【産業上の利用可能性】
【００８１】
本発明は区切られた室内空間での使用を目的として提供しているが、分離された高湿な空間と低湿な空間において、高湿な空間を乾燥させる用途で用いるものにおいても同様な効果は期待できる。
【符号の説明】
【００８２】
１    本体ケース
２    第１の吸気口
３    第１の吐出口
４    第２の吸気口
５    第２の吐出口
６    室内側の風路
７    室外側の風路
８    湿度交換素子
９    室内送風手段
１０  室外送風手段
１１  仕切り板
１２  制御部
１３  風量調整手段
１４  停止遅延手段
１５  室内環境条件検出手段
１７  第１の開口
１８  第２の開口
１９  第１のシャッター
２０  第２のシャッター
２１  第１の換気風路
２２  第２の換気風路
２３  風路切替手段
２４  水受け部
２５  水分検出手段
２６  風路遮蔽板
２７  室外環境条件検出手段
【図１】
2013019583.tif 000003
【図２】
2013019583.tif 000004
【図３】
2013019583.tif 000005
【図４】
2013019583.tif 000006
【図５】
2013019583.tif 000007
【図６】
2013019583.tif 000008
【図７】
2013019583.tif 000009
【図８】
2013019583.tif 000010
【図９】
2013019583.tif 000011
【図１０】
2013019583.tif 000012
【図１１】
2013019583.tif 000013